(57)【特許請求の範囲】
【請求項１】
入力波形のデジタルデータを保存する波形メモリと、前記波形メモリ内のデータを表示データに変換する表示データ作成部と、前記表示データ作成部で作成された表示データを表示する表示部を備えた波形表示装置において、
前記表示データ作成部を複数備え、所定の表示データ作成部は現在のデータを表示データに変換し、他の表示データ作成部は過去のデータを表示データに変換し、
過去のデータを圧縮して表示する表示データ作成部を有するとともに、過去の表示データの量に応じて圧縮表示エリアの表示面積を変える変更手段を設けたことを特徴とする波形表示装置。
【請求項２】
前記複数の表示データ作成部は各々単独、または同時に動作することを特徴とする請求項１記載の波形表示装置。
【請求項３】
前記複数の表示データ作成部に表示データの圧縮手段と拡大手段の両方または一方を設けたことを特徴とする請求項１記載の波形表示装置。
【請求項４】
前記複数の表示データ作成部の中で、所定の表示データ作成部は現在の表示データを作成し、他の表示データ作成部は過去の表示データまたは過去の表示データの圧縮データもしくは拡大データを作成することを特徴とする請求項１乃至３いずれかに記載の波形表示装置。
【請求項５】
前記複数の表示データ作成部で作成された表示データを各々単独、または同時に表示部に表示することを特徴とする請求項１乃至４いずれかに記載の波形表示装置。
【発明の詳細な説明】
【０００１】
【発明の属する技術分野】
本発明は、入力波形を表示データに変換して表示する波形表示装置に関し、特に表示データの作成および表示方法の改善に関するものである。
【従来の技術】
【０００２】
図４は従来における波形表示装置の構成例を示した図である。図4は波形表示装置をメモリレコーダに適用した例を示している。
【０００３】
図４において実線矢印は測定・表示データの流れを示し、破線矢印は制御情報の流れを示している。ＣＰＵ１は装置全体の制御を司り、ＣＰＵ１の周辺には、動作プログラムを格納する部分としてのＲＯＭ２と、設定値や一時データを格納するＲＡＭ３がある。操作制御部４は装置の操作を受け付けるパネルキーを制御する。
【０００４】
入力はＡ／Ｄ変換器５でデジタルデータに変換され、変換されたデータは入力制御部６を経由して波形メモリ７に格納される。波形メモリ７のデータは、表示データ作成部８にて表示用データに変換され、表示制御部９を経由して表示部１０に表示される。
【０００５】
ここで表示データ作成部５について説明する。
メモリレコーダのサンプリング間隔は数百ｋＨｚから数ＭＨｚであり、一方画面データを描画するスピードは、最高でも数百回／秒である。つまり、１画面の表示データは、数千から数万回のサンプルデータから生成される。
【０００６】
一般的には、取り込んだ最初の２点のデータを大小によって最小−最大値に分け、3点目以降のデータからはこの最小−最大値と比較しながら順次最小−最大値を更新していく。このようにして得られる最小−最大値は、表示画面上では各最小−最大値の間を表示ドットで補間した形で表示する。この処理を行う部分が表示データ作成部である。
【０００７】
【発明が解決しようとする課題】
従来のメモリレコーダにおいて通常の測定中には現在の測定データを時々刻々と表示させているため表示データ作成部は常時稼働中となる。
【０００８】
例えば、画面の表示範囲からスクロール等により消滅した部分の測定波形を表示する場合は、波形メモリ内のデータを用いて表示データ作成部で表示データを作成しなければならない。
【０００９】
この場合、表示データ作成部が１系統しかないと、表示データ作成部を開放するために、現在の測定を停止するか、または波形の表示を一時休止しなければならないという問題があった。
【００１０】
本発明は上述した問題点を解決するためになされたものであり、現在の測定データを時々刻々と表示させている最中でも、それを止めることなく過去のデータを波形として表示できる波形表示装置を提供することを目的とする。
【課題を解決するための手段】
本発明は次の通りの構成になった波形表示装置である。
【００１１】
（１）入力波形のデジタルデータを保存する波形メモリと、前記波形メモリ内のデータを表示データに変換する表示データ作成部と、前記表示データ作成部で作成された表示データを表示する表示部を備えた波形表示装置において、
前記表示データ作成部を複数備え、所定の表示データ作成部は現在のデータを表示データに変換し、他の表示データ作成部は過去のデータを表示データに変換し、
過去のデータを圧縮して表示する表示データ作成部を有するとともに、過去の表示データの量に応じて圧縮表示エリアの表示面積を変える変更手段を設けたことを特徴とする波形表示装置。
【００１２】
（２）前記複数の表示データ作成部は各々単独、または同時に動作することを特徴とする（１）記載の波形表示装置。
【００１３】
（３）前記複数の表示データ作成部に表示データの圧縮手段と拡大手段の両方または一方を設けたことを特徴とする（１）記載の波形表示装置。
【００１４】
（４）前記複数の表示データ作成部の中で、所定の表示データ作成部は現在の表示データを作成し、他の表示データ作成部は過去の表示データまたは過去の表示データの圧縮データもしくは拡大データを作成することを特徴とする（１）乃至（３）いずれかに記載の波形表示装置。
【００１５】
（５）前記複数の表示データ作成部で作成された表示データを各々単独、または同時に表示部に表示することを特徴とする（１）乃至（４）いずれかに記載の波形表示装置。
【００１７】
入力は時々刻々とＡ／Ｄ変換器５でデジタルデータに変換され、変換されたデータは入力制御部６を経由して波形メモリ７に格納される。
【００１８】
波形メモリ７のデータは、表示データ作成部２０ａにて現在の測定データとして表示用データに変換され、表示制御部９を経由して表示部１０にスクロール表示される。
【００１９】
一方、波形メモリ７に格納されている測定済みデータは、波形メモリ７の任意の位置から読み出され、表示データ作成部２０ｂにて過去のデータとして表示用データに変換され、表示制御部９を経由して表示部１０に表示される。
【００２０】
図2は現在の測定データと過去のデータを同時に表示させた表示例である。表示エリア２１には前述の表示データ作成部２０ｂで変換された過去のデータを表示している。表示エリア２２には前述の表示データ作成部２０ａで変換された現在の測定データをスクロール表示している。各表示エリアには時刻が付けられている。表示点２３が時々刻々更新される最新の測定データである。
【００２１】
表示データ作成部を複数設けたことにより、測定済みデータを参照したい場合等に、現在の測定データの表示更新を止めることなく、独立した動作で前述の波形メモリに格納されている任意の過去のデータを表示できる。
【００２２】
また、表示データの作成が複数の表示データ作成部で同時並行して行えるため高速化も実現できる。
【００２３】
さらに、現在の測定データの表示更新を止めることなく、過去のデータを任意の時間圧縮または拡大率で表示する等の加工も可能となる。これは、表示データ作成部に圧縮手段と拡大表示手段を設けることによって実現できる。従って、測定データの全体を参照したければ圧縮表示、一部分を詳細に観察したければ拡大表示させることによりデータの解析が容易に行える。
【００２４】
図3は過去のデータの圧縮表示と、現在の測定データを同時に表示させた他の表示例である。さらに詳細には、記録計において記録媒体として使用される折り畳みチャート紙が溜まっていくイメージを表示画面で実現したものである。
【００２５】
波形表示エリア３１に時間圧縮した過去のデータと現在の測定データを同時に表示している。使用量表示エリア３２は波形表示エリア３１のデータ表示と波形メモリとの関係を視覚的に表現するために波形メモリに格納されるメモリ量をイメージ的に表示する。図３の（ａ）、（ｂ）、（ｃ）の順序に時間が経過していく。波形表示エリア３１、使用量表示エリア３２は共に測定を開始してから波形メモリが飽和するまでの経過時間に対して状態遷移を表している。尚、使用量表示エリア３２は無くてもよい。
【００２６】
ここで、表示画面３１は経過時間に応じて過去のデータの圧縮表示エリア３１１を大きくしている。これにより、過去のデータのエンベロープが一目で分かると共にメモリ使用量を感覚的に表現できる。これは、過去の表示データの量に応じて圧縮表示エリア３１１を変える変更手段を設けることによって実現される。
【００２７】
また、測定中に波形メモリ内の任意の過去のデータを拡大表示することも可能である。これは、波形の拡大表示位置を指示する指示手段と、指示した波形を拡大する拡大手段を設けることによって実現される。尚、前記指示手段はパネルキーまたはマウス等で構成される。
【００２８】
前述の記録計の記録媒体として使用される折り畳みチャート紙において、記録が済んだ部分のチャート紙は折り畳まれ保存される。また過去のデータを参照する時は現在行われている記録を止めなくても折り畳まれた部分を開いて検索することが可能である。また折り畳まれたチャート紙の量から測定開始からの経過時間が視覚的に認識できる。本発明ではこれらの優れた操作性を、前述の他の表示例により実現している。
【００２９】
【発明の効果】
本発明によれば、以下のような効果がある。
【００３０】
請求項１、２、５記載の発明によれば、測定済みデータを参照したい場合等に、現在の測定データの表示更新を止めることなく、独立した動作で波形メモリに格納されている任意の過去のデータを表示できる。
【００３１】
また、表示データの作成が複数の表示データ作成部で同時並行して行えるため高速化も実現できる。そして、記録計の記録が済んだ部分のチャート紙が折り畳まれ保存される点、過去のデータを参照する時は現在行われている記録を止めなくても折り畳まれた部分を開いて検索することができる点、また折り畳まれたチャート紙の量から測定開始からの経過時間が視覚的に認識できる点による優れた操作性をあたかもチャート紙があるかのように画面上で表示により実現できる。
【００３２】
請求項３、４記載の発明によれば、現在の測定データの表示更新を止めることなく、過去のデータを任意の時間圧縮または拡大率で表示する等の加工も可能となる。従って、測定データの全体を参照したければ圧縮表示、一部分を詳細に観察したければ拡大表示させることによりデータの解析が容易に行える。
【図面の簡単な説明】
【図１】本発明の一実施例を示した構成図である。
【図２】本発明の波形表示放置による一表示例である。
【図３】本発明の波形表示装置による他の表示例である。
【図４】従来における波形表示装置の構成例を示した図である。
【符号の説明】
７  波形メモリ
８  表示データ作成部
１０  表示部
２０ａ  表示データ作成部
２０b  表示データ作成部
２１、２２  表示エリア
２３  表示点
３１  波形表示エリア
３２  使用量表示エリア
３１１  圧縮表示エリア
【図１】
0004072747.tif 000002
【図２】
0004072747.tif 000003
【図３】
0004072747.tif 000004
【図４】
0004072747.tif 000005